(57)【要約】【課題】ボタンキーの小型化を維持し且つ誤キー操作による入力情報の喪失を回避する。【解決手段】携帯端末装置１がメール作成等の入力モードになった後、入力キー３１による入力操作中に誤って終了キー３２が複数回操作されると、その操作間隔が操作間隔検出手段１１ａによって検出される。そして、その操作間隔と誤操作判定情報との比較結果に基づいて誤操作であると誤操作判定手段１１ｂによって判定されると、それまでの入力モード中に入力キー３１の操作によって入力された入力情報が、装置内蔵又は装置外部の記憶手段１２ａに複製手段１１ｃによって複製されて記憶される。【選択図】図１
2009175915.tif 000002
【特許請求の範囲】
【請求項１】
予め定められた複数種類の入力データを操作回数に応じて切り替えて選択するための入力キーと、前記入力キーに隣接し且つ前記入力キーによる入力を行う入力モードの終了を選択するための終了キーと、を有する携帯端末装置において、
前記入力モードにおける前記終了キーによる操作間隔を検出する操作間隔検出手段と、
前記操作間隔検出手段が検出した操作間隔と予め定められた誤操作判定情報との比較結果に基づいて誤操作であるか否かを判定する誤操作判定手段と、
前記誤操作判定手段が誤操作であると判定したときに、前記入力モード中に前記入力キーの操作によって入力された入力情報を記憶手段に複製する複製手段と、
を有することを特徴とする携帯端末装置。
【請求項２】
前記入力キーが連続して操作されたときの入力間隔を検出する入力間隔検出手段と、
前記入力間隔検出手段が検出した入力間隔を前記誤操作判定情報として記憶する誤操作判定情報記憶手段と、
を有し、
前記誤操作判定手段が、前記誤操作判定情報記憶手段に記憶している誤操作判定情報に基づいて前記誤操作を判定する手段であることを特徴とする請求項１に記載の携帯端末装置。
【請求項３】
前記入力モードが開始されたときに、前記複製手段によって複製された入力情報を前記記憶装置から取得して表示手段に表示させる表示制御手段を有することを特徴とする請求項１又は２に記載の携帯端末装置。
【請求項４】
前記複製手段が入力情報を複製してから任意の所定時間が経過したときに、当該入力情報を消去する入力情報消去手段を有することを特徴とする請求項１〜３の何れか１項に記載の携帯端末装置。
【請求項５】
予め定められた複数種類の入力データを操作回数に応じて切り替えて選択するための入力キーと、前記入力キーに隣接し且つ前記入力キーによる入力を行う入力モードの終了を選択するための終了キーと、を有する携帯端末装置の入力情報複製方法であって、
前記入力モードにおける前記終了キーによる操作間隔を検出する操作間隔検出工程と、
前記検出した操作間隔と予め定められた誤操作判定情報との比較結果に基づいて誤操作であるか否かを判定する誤操作判定工程と、
前記誤操作であると判定したときに、前記入力モード中に前記入力キーの操作によって入力された入力情報を記憶手段に複製する複製工程と、
を有することを特徴とする入力情報複製方法。
【請求項６】
予め定められた複数種類の入力データを操作回数に応じて切り替えて選択するための入力キーと、前記入力キーに隣接し且つ前記入力キーによる入力を行う入力モードの終了を選択するための終了キーと、を有する携帯端末装置のコンピュータを、
前記入力モードにおける前記終了キーによる操作間隔を検出する操作間隔検出手段、
前記操作間隔検出手段が検出した操作間隔と予め定められた誤操作判定情報との比較結果に基づいて誤操作であるか否かを判定する誤操作判定手段、
前記誤操作判定手段が誤操作であると判定したときに、前記入力モード中に前記入力キーの操作によって入力された入力情報を記憶手段に複製する複製手段、
として機能させるための入力情報複製プログラム。
【発明の詳細な説明】
【技術分野】
【０００１】
本発明は、複数種類の入力データを操作回数に応じて切り替えて選択するための入力キーと、前記入力キーに隣接し且つ前記入力キーによる入力を行う入力モードの終了を選択するための終了キーと、を有する携帯端末装置等に関するものである。
【背景技術】
【０００２】
携帯電話機等の携帯端末装置は、マトリクス状に配置された複数のボタンキーを有する操作部を有している。そして、特許文献１等に示す携帯端末装置は、ボタンキーの断面形状を工夫することで、基本性能を維持しつつ、小さいボタンキーでも誤操作の可能性を低減してきた。
【０００３】
このような複数のボタンキーの各々には、複数種類の文字、記号等を割り当てることで、少ないボタンキーでのメール文書等の作成を可能としている。たとえば、現在の携帯電話機では、メールの入力モードに移行した後、これら複数種類の文字等を割り当てたボタンキー（以下、「入力キー」という。）を押下することで、所望のアルファベット、ひらがな、数字等の入力を可能としている。例えば、ひらがなの「せ」を入力するには、利用者は「さ行」の入力キーを少なくとも４回押下することになる。また、入力モードの終了コマンドを割り当てたボタンキー（以下、「終了キー」）を押下することで、入力モードから抜けて初期モードに戻ることを可能としている。
【特許文献１】特開２００７−１１０１９８号公報
【発明の開示】
【発明が解決しようとする課題】
【０００４】
しかしながら、携帯電話機は年々小型化されており、これに伴ってボタンキーもより縮小され、かつ、密集して配置されているため、それに伴って誤キー操作が多くなってきている。例えば、メール文書の作成中に、終了キーに隣接する入力キーによる入力を行おうとしたところ、誤って終了キーが連続で押下されることがある。この場合には、メールの入力モードから抜けて初期モードに戻ってしまい、作成中のメール文書も消えてしまうという問題が生じていた。そして、このような誤操作により消失したメール文章等は修復不能であるため、利用者は携帯電話機等を再度入力モード等に移行させて最初から入力作業を行う必要があった。このような問題を解消するには、終了キーを入力キーから離して配置することが考えられるが、そうすると携帯電話機が大型化してしまうという問題が新たに発生する。このように本発明が解決しようとする課題は、上記した問題が一例として挙げられる。
【０００５】
よって本発明は、上述した問題点に鑑み、ボタンキーの小型化を維持し且つ誤キー操作による入力情報の喪失を回避する携帯端末装置、入力情報複製方法、及び、入力情報複製プログラムを提供することを課題としている。
【課題を解決するための手段】
【０００６】
上記課題を解決するため本発明によりなされた請求項１記載の携帯端末装置は、予め定められた複数種類の入力データを操作回数に応じて切り替えて選択するための入力キーと、前記入力キーに隣接し且つ前記入力キーによる入力を行う入力モードの終了を選択するための終了キーと、を有する携帯端末装置において、前記入力モードにおける前記終了キーによる操作間隔を検出する操作間隔検出手段と、前記操作間隔検出手段が検出した操作間隔と予め定められた誤操作判定情報との比較結果に基づいて誤操作であるか否かを判定する誤操作判定手段と、前記誤操作判定手段が誤操作であると判定したときに、前記入力モード中に前記入力キーの操作によって入力された入力情報を記憶手段に複製する複製手段と、を有することを特徴とする。
【０００７】
上記課題を解決するため本発明によりなされた請求項５記載の入力情報複製方法は、予め定められた複数種類の入力データを操作回数に応じて切り替えて選択するための入力キーと、前記入力キーに隣接し且つ前記入力キーによる入力を行う入力モードの終了を選択するための終了キーと、を有する携帯端末装置の入力情報複製方法であって、前記入力モードにおける前記終了キーによる操作間隔を検出する操作間隔検出工程と、前記検出した操作間隔と予め定められた誤操作判定情報との比較結果に基づいて誤操作であるか否かを判定する誤操作判定工程と、前記誤操作であると判定したときに、前記入力モード中に前記入力キーの操作によって入力された入力情報を記憶手段に複製する複製工程と、を有することを特徴とする。
【０００８】
上記課題を解決するため本発明によりなされた請求項６記載の入力情報複製プログラムは、予め定められた複数種類の入力データを操作回数に応じて切り替えて選択するための入力キーと、前記入力キーに隣接し且つ前記入力キーによる入力を行う入力モードの終了を選択するための終了キーと、を有する携帯端末装置のコンピュータを、前記入力モードにおける前記終了キーによる操作間隔を検出する操作間隔検出手段、前記操作間隔検出手段が検出した操作間隔と予め定められた誤操作判定情報との比較結果に基づいて誤操作であるか否かを判定する誤操作判定手段、前記誤操作判定手段が誤操作であると判定したときに、前記入力モード中に前記入力キーの操作によって入力された入力情報を記憶手段に複製する複製手段、として機能させるための入力情報複製プログラムである。
【発明を実施するための最良の形態】
【０００９】
以下、本発明に係る携帯端末装置、入力情報複製方法、及び、入力情報複製プログラムの一実施の形態を、図１の基本構成図を参照して以下に説明する。
【００１０】
図１に示す携帯端末装置１は、予め定められた複数種類の入力データを操作回数に応じて切り替えて選択するための入力キー３１と、前記入力キー３１に隣接し且つ前記入力キー３１による入力を行う入力モードの終了を選択するための終了キー３２と、を有する携帯端末装置において、前記入力モードにおける前記終了キー３２による操作間隔を検出する操作間隔検出手段１１ａと、前記操作間隔検出手段１１ａが検出した操作間隔と予め定められた誤操作判定情報との比較結果に基づいて誤操作であるか否かを判定する誤操作判定手段１１ｂと、前記誤操作判定手段１１ｂが誤操作であると判定したときに、前記入力モード中に前記入力キー３１の操作によって入力された入力情報を記憶手段１２ａに複製する複製手段１１ｃと、を有している。
【００１１】
また、その入力情報複製方法は、予め定められた複数種類の入力データを操作回数に応じて切り替えて選択するための入力キー３１と、前記入力キー３１に隣接し且つ前記入力キー３１による入力を行う入力モードの終了を選択するための終了キー３２と、を有する携帯端末装置の入力情報複製方法であって、前記入力モードにおける前記終了キー３２による操作間隔を検出する操作間隔検出工程と、前記検出した操作間隔と予め定められた誤操作判定情報との比較結果に基づいて誤操作であるか否かを判定する誤操作判定工程と、前記誤操作であると判定したときに、前記入力モード中に前記入力キー３１の操作によって入力された入力情報を記憶手段１２ａに複製する複製工程と、を有している。
【００１２】
さらに、その入力情報複製プログラムは、予め定められた複数種類の入力データを操作回数に応じて切り替えて選択するための入力キー３１と、前記入力キー３１に隣接し且つ前記入力キー３１による入力を行う入力モードの終了を選択するための終了キー３２と、を有する携帯端末装置のコンピュータを、前記入力モードにおける前記終了キー３２による操作間隔を検出する操作間隔検出手段１１ａ、前記操作間隔検出手段１１ａが検出した操作間隔と予め定められた誤操作判定情報との比較結果に基づいて誤操作であるか否かを判定する誤操作判定手段１１ｂ、前記誤操作判定手段１１ｂが誤操作であると判定したときに、前記入力モード中に前記入力キー３１の操作によって入力された入力情報を記憶手段１２ａに複製する複製手段１１ｃ、として機能させるための入力情報複製プログラムとなっている。
【００１３】
このような携帯端末装置１とその入力情報複製方法及びプログラムによれば、携帯端末装置１がメール作成等の入力モードになった後、入力キー３１による入力操作中に誤って終了キー３２が複数回操作されると、その操作間隔が操作間隔検出手段１１ａによって検出される。そして、その操作間隔と誤操作判定情報との比較結果に基づいて誤操作であると誤操作判定手段１１ｂによって判定されると、それまでの入力モード中に入力キー３１の操作によって入力された入力情報が、装置内蔵又は装置外部の記憶手段１２ａに複製手段１１ｃによって複製されて記憶される。
【００１４】
よって、入力モード中における入力キーの連続操作中等に誤って終了キーが操作されると、その操作間隔に基づいて誤操作であるか否かを判定し、誤操作であると判定したときは、入力モード中の入力情報を記憶手段に複製するようにしたことから、利用者はその記憶手段に記憶された入力情報を再度利用することができるため、誤操作による入力情報の喪失を防止できる。従って、入力キー、終了キー等の小型化を維持し且つ誤キー操作による入力情報の喪失を回避することができる。また、小型化した入力キーに終了キーを隣接させることができるため、携帯端末装置の小型化に貢献することができる。
【００１５】
また、上述した携帯端末装置１において、前記入力キー３１が連続して操作されたときの入力間隔を検出する入力間隔検出手段１１ｄと、前記入力間隔検出手段１１ｄが検出した入力間隔を前記誤操作判定情報として記憶する誤操作判定情報記憶手段１２ｂと、を有し、前記誤操作判定手段１１ｂが、前記誤操作判定情報記憶手段１２ｂに記憶している誤操作判定情報に基づいて前記誤操作を判定する手段となっている。
【００１６】
このような携帯端末装置１によれば、入力キー３１の連続操作時等の入力間隔を検出すると、当該入力間隔を誤操作判定情報として記憶し、その後の入力モード中に終了キー３２の操作間隔を検出すると、当該誤操作判定情報と操作間隔を比較して誤操作を判定するようにしたことから、利用者の入力速度に適した誤判定情報で誤操作の発生を検出することができる。従って、利用者による入力速度の個人差を吸収し、誤操作による入力情報の喪失を確実に回避すると共に、正常操作と誤操作の判断精度の向上を図ることができる。
【００１７】
また、上述した携帯端末装置１において、前記入力モードが開始されたときに、前記複製手段１１ｃによって複製された入力情報を前記記憶装置から取得して表示手段１４に表示させる表示制御手段１１ｅを有している。
【００１８】
このような携帯端末装置１によれば、入力モードが開始されたときに複製された入力情報が記憶装置１２ａに存在すると、その入力情報を取得して装置内蔵又は装置外部の表示手段１４に表示させるようにしたことから、利用者の誤操作によって入力モードを終了させても、再度入力モードを開始することで、複製された入力情報を表示手段１４で確認することができるため、利用者が入力情報を探す必要がなくなり、使い勝手の向上を図ることができる。
【００１９】
また、上述した携帯端末装置１において、前記複製手段１１ｃが入力情報を複製してから任意の所定時間が経過したときに、当該入力情報を消去する入力情報消去手段１１ｆを有している。
【００２０】
このような携帯端末装置１によれば、誤操作の検出によって入力情報を複製しても、所定時間が経過したときに当該入力情報を消去するようにしたことから、入力情報の記憶量が無作為に増大することを回避できる。また、所定時間が経過しても最大ｎ件までは保存を可能とする、消去するか否かを利用者に確認するなど、種々異なる実施形態とすることができる。
【実施例】
【００２１】
以下、上述した本発明の携帯端末装置を携帯電話機に適用した場合の実施例を、図２乃至図６の図面を参照して以下に説明する。
【００２２】
図２及び図３において、携帯電話機１は、公知であるように、制御部１１と、記憶部１２と、操作部１３と、表示部１４と、通信部１５と、を有して構成している。そして、制御部１１に対してその他の各部を電気的に接続し、各種データの入力又は出力の少なくとも一方が可能な構成となっている。
【００２３】
制御部１１は、内蔵するＲＯＭ（read only memory）等に記憶している予め定められたプログラムに従って動作するマイクロ・プロセッサ・ユニット（ＭＰＵ）等が用いられる。制御部１１のＲＯＭ等には、図１に示す請求項中の操作間隔検出手段１１ａ、誤操作検出手段１１ｂ、複製手段１１ｃ、入力間隔検出手段１１ｄ、表示制御手段１１ｅ、及び、入力情報消去手段１１ｆ等の各種手段として制御部１１を機能させるための入力情報複製プログラム、入力間隔計測プログラム等を記憶している。
【００２４】
記憶部１２は、ＥＥＰＲＯＭ（electrically erasable and programmable ROM）等の不揮発性の半導体メモリ等が用いられ、制御部１１が各種処理を実行するのに必要な各種情報が記憶される。そして、本実施例では、記憶部１２が上述した特許請求の範囲中の誤操作判定情報２１と入力情報２２とを適宜記憶する。
【００２５】
誤操作判定情報２１は、入力モードにおける終了キー３２による操作間隔と比較して誤操作を判定するための閾値、判定範囲等の誤操作判定条件を示すデータを有し、その構成は任意に設定することができる。そして、誤操作判定情報２１は、出荷時等は携帯電話機メーカ等で任意に定められた初期値が設定されており、利用者の携帯電話機１の利用開始後等に入力キー３１の連続操作時等の入力間隔を検出（学習）し、当該入力間隔に基づいて誤操作判定情報２１の内容が更新される。
【００２６】
なお、本実施例においては、入力モードをメール新規作成中とした場合について説明するが、入力モードとしては入力キー３１を操作して各種入力を行う各種モードを任意に設定することができる。
【００２７】
入力情報２２は、入力モード中に入力キー３１の操作に応じて入力されたメール文章等の入力データを有して構成している。そして、入力情報２２の保存時間、保存する最大件数等は、利用者（ユーザー）、携帯電話機１の製造メーカー等によって任意に設定され、それらの設定情報等も記憶部１２に記憶している。これにより、利用者が誤ってメール文書等を消去しても、入力情報２２が無作為に増大することを回避している。また、入力情報２２としては、例えば入力中の入力データが確定していない場合は、文章予測機能等を用いて文章等を予測した文書情報とすることもできる。
【００２８】
このように誤操作判定情報２１と入力情報２２を記憶部１２に記憶することから、本実施例では記憶部１２が図１に示す請求項中の記憶手段１２ａ及び誤操作判定情報記憶手段１２ｂとして機能しているが、例えば、ネットワーク等を介してアクセス可能な外部の記憶装置、携帯電話機１に着脱自在の記憶媒体等で実現するなど種々異なる実施形態とすることができる。
【００２９】
操作部１３は、図３に示すように、複数の入力キー３１、終了キー３２、決定キー３３等の複数種類のボタンキーを有している。そして、ボタンキーの各々は、公知であるように、利用者等による押下に応じてボタンキーの種類が識別可能な操作信号を制御部１１に出力する。
【００３０】
複数の入力キー３１は、４行３列のマトリクス状に配置されており、例えば、電話番号入力、メール文章の作成等の各種入力作業に用いられる。入力キー３１の各々は、表面に付されたデザインのように、０〜９の１つの「数字」と、複数種類の「ひらがな」と、複数種類の「アルファベット」と、が割り振られている。例えば、数字の「３」が割り振られた入力キー３１には、ひらがなの「さ行」と、アルファベットの「Ｄ」〜「Ｆ」が割り振られており、文字切り替えキーによって数字、ひらがな、アルファベットの選択が可能となっている。
【００３１】
例えば、ひらがなの「せ」を入力するには、「さ行」の入力キー３１を少なくとも４回押下し、表示部１４に「せ」が表示された状態で他の入力キー３１又は決定キー３３を操作することで、ひらがなの「せ」の入力が完了する。その他の入力キー３１についても同様の操作で入力が行われる。
【００３２】
終了キー３２は、携帯電話機１の電源投入、電源切断や通話の終了に用いられると共に、アプリケーション・プログラムや各種設定の終了操作に用いられる。終了キー３２は、あたかも５行３列のマトリクス状となるように、「さ行」の入力キー３１の上方に隣接して配置されている。そして、終了キー３２がメール文書の作成中に連続して操作されると、携帯電話機１はメール文書の作成を強制的に終了する。よって、利用者は「さ行」の入力キー３１を操作するつもりで、誤って終了キー３２を連続して操作する事態が生じることになる。
【００３３】
決定キー３３は、入力キー３１によって入力された入力データの確定、各種選択項目の選択等に用いられる。
【００３４】
表示部１４は、図１に示す請求項中の表示手段１４に相当し、液晶表示装置等が用いられる。表示部１４は、制御部１１による制御により、制御部１１から要求された表示情報を表示する。
【００３５】
通信部１５は、図示しないが、基地局等からの無線信号を受信するアンテナと、該アンテナを介して受信した無線信号の復調その他無線通信に必要な各種処理を行う無線部と、を有し、制御部１１から入力されるデジタル信号を通信先に送信すると共に、受信した無線信号を制御部１１に出力する。
【００３６】
次に、上述した携帯電話機１の制御部１１が実行する入力間隔計測処理と入力情報複製処理の一例を、図４乃至図６の図面を参照して以下に説明する。
【００３７】
まず、携帯電話機１の本発明に係るモードの一例を、図４の図面を参照して説明する。携帯電話機１は、待機モードＳＴ１と、入力モードＳＴ２と、複製待機モードＳＴ３と、を有している。
【００３８】
待機モードＳＴ１は、公知である携帯電話機１の待ち受け状態に相当している。入力モードＳＴ２は、携帯電話機１の新規メール作成における本文入力等の入力可能状態に相当している。複製待機モードＳＴ３は、上述した入力情報２２を保存しているときの待ち受け状態に相当している。
【００３９】
待機モードＳＴ１において、新規メール作成の本文入力の開始等による入力要求の発生に応じて入力モードＳＴ２に状態が遷移する。そして、入力モードＳＴ２において、前記本文入力の正常終了等に応じて待機モードＳＴ１に状態が遷移すると共に、上述した誤操作の検出に応じて複製待機モードＳＴ３に状態が遷移する。そして、複製待機モードＳＴ３において、前記入力要求の発生に応じて入力モードＳＴ２に状態が遷移すると共に、入力情報２２の消去に応じて待機モードＳＴ１に状態が遷移する。
【００４０】
次に、制御部１１が入力情報複製プログラムを実行したときの処理概要の一例を、図５に示すフローチャートを参照して以下に説明する。
【００４１】
上述した入力モードＳＴ２の状態で入力情報複製プログラムが実行されると、ステップＳ１１において、操作部１３から入力される操作信号に基づいて、連続して終了キー３２が押下されたか否かを判定する。押下されていない、又は、終了キー３２が１回押下されたと判定された場合（Ｓ１１でＮ）、この判定処理を繰り返すことで、連続した終了キー３２の押下が監視される。一方、連続して押下されたと判定した場合（Ｓ１１でＹ）、ステップＳ１２に進む。
【００４２】
ステップＳ１２において、連続して押下された終了キー３２の操作間隔を検出して記憶部１２等に記憶し、その後ステップＳ１３に進む。なお、操作間隔の検出方法としては、終了キー３２を押下した時間、終了キー３２が最初に押下されてから次に押下されるまでの時間をタイマを用いて計測するなど種々異なる検出方法を用いることができる。
【００４３】
ステップＳ１３において、検出した操作間隔と前記誤操作判定情報２１とを比較し、該比較結果に基づいて誤操作であるか否かを判定する。誤操作ではない、つまり誤動作判定条件を満たしていないと判定した場合（Ｓ１３でＮ）、ステップＳ１１に戻り、一連の処理を繰り返す。一方、誤操作である、つまり誤動作判定条件を満たしたと判定した場合（Ｓ１３でＹ）、ステップＳ１４に進む。
【００４４】
ステップＳ１４において、それまでに入力編集されたメール文書情報を予め定められた記憶領域から取得し、ステップＳ１５において、当該メール文章情報を入力情報２２として記憶部１２に複製し、ステップＳ１６において、携帯電話機１の状態を前記入力モードＳＴ２から前記複製待機モードＳＴ３に遷移させ、ステップＳ１７において、タイマーをスタートさせることで、入力情報２２を複製してからの経過時間の監視を開始し、その後ステップＳ１８に進む。
【００４５】
ステップＳ１８において、タイマーのタイマー値を参照して予め定められた所定時間が経過したか否かを判定する。なお、所定時間としては、利用者が任意に設定した時間、携帯電話機１の製造メーカー又は携帯電話会社等が設定した時間などが挙げられる。そして、所定時間が経過していないと判定した場合（Ｓ１８でＮ）、ステップＳ１９に進む。
【００４６】
ステップＳ１９において、入力要求の発生によって前記入力モードＳＴ２に状態が遷移しているか否かを判定する。前記入力モードＳＴ２に遷移していないと判定した場合（Ｓ１９でＮ）、ステップＳ１８に戻り、一連の処理を繰り返すことで、所定時間の経過又は前記入力モードＳＴ２への遷移を待つ。一方、前記入力モードＳＴ２に遷移していると判定した場合（Ｓ１９でＹ）、ステップＳ２０に進む。
【００４７】
ステップＳ２０において、記憶部１２に記憶している入力情報２２をメール文書情報として表示部１４に表示させることで、表示部１４にはメール文書情報が編集可能に表示され、ステップＳ２１において、記憶部１２から入力情報２２を消去し、その後ステップＳ１１に戻り、一連の処理を繰り返す。
【００４８】
また、ステップＳ１８で所定時間が経過したと判定した場合（Ｓ１８でＹ）、ステップＳ２２において、記憶部１２から入力情報２２を消去し、ステップＳ２３において、携帯電話機１の状態を前記複製待機モードＳＴ３から前記待機モードＳＴ１に遷移させ、その後処理を終了する。
【００４９】
以上説明した図５に示す入力情報複製処理を制御部１１が実行することで、請求項中の操作間隔検出手段１１ａ、誤操作検出手段１１ｂ、複製手段１１ｃ、表示制御手段１１ｅ、及び、入力情報消去手段１１ｆとして制御部１１が機能することになる。そして、図５に示すフローチャート中のステップＳ１２が操作間隔検出手段１１ａ、ステップＳ１３が誤操作検出手段１１ｂ、ステップＳ１４〜Ｓ１５が複製手段１１ｃ、ステップＳ２０が表示制御手段１１ｅ、ステップＳ２１，Ｓ２２が入力情報消去手段１１ｆにそれぞれ相当している。
【００５０】
次に、任意のタイミングで制御部１１が実行する入力間隔計測処理の一例を、図６に示すフローチャートを参照して以下に説明する。
【００５１】
制御部１１によって入力速度計測プログラムが実行されると、ステップＳ３１において、計測用文章の入力を利用者に促す入力画面情報を表示部１４に表示させることで、表示部１４に入力画面情報が表示され、その後ステップＳ３２に進む。なお、入力画面情報の一例としては、終了キー３２の最も近くに配置された「さ行」の入力キー３１の連続押下を促す内容とするなど種々異なる実施形態とすることができるが、誤操作を正確に判定するには、終了キー３２の近くに配置された入力キー３１を連続押下させるのが好ましい。
【００５２】
ステップＳ３２において、前記入力画面情報の表示内容に対応して利用者が連続で入力キー３１を押下したときの入力間隔を、操作部１３から入力される操作信号に基づいて検出し、その後ステップＳ３３に進む。なお、操作間隔の検出方法としては、複数回の入力間隔を検出して平均入力間隔を検出する、最大又は最小の入力間隔を検出するなどが挙げられる。
【００５３】
ステップＳ３３において、前記検出した入力間隔を記憶部１２に記憶している誤操作判定情報２１の閾値等として記憶することで、当該誤操作判定情報２１を利用者に適した内容に変更し、その後処理を終了する。
【００５４】
以上説明した図６に示す入力間隔計測処理を制御部１１が実行することで、請求項中の入力間隔検出手段１１ｄとして制御部１１が機能することになる。そして、入力間隔計測処理については、携帯電話機１の所有者である利用者の入力速度を学習するために、携帯電話機１の初期起動時や利用者がメニュー画面から入力速度設定モードを指定したタイミング等の任意のタイミングで実行される。
【００５５】
次に、上述した携帯電話機１の入力情報２２の複製に関連する動作（作用）の一例を以下に説明する。
【００５６】
利用者がメール文書を作成する場合、携帯電話機１は所定の操作によって前記待機モードＳＴ１から前記入力モードＳＴ２に状態が遷移し、入力キー３１に対する利用者の操作によってメール文書の編集を行う。そして、その編集中に利用者が終了キー３２を誤って連続押下すると、携帯電話機１はその終了キー３２の操作間隔を検出し、該操作間隔と記憶部１２の誤操作判定情報２１とを比較して、終了キー３２の連続押下が誤操作であるか否かを判定する。
【００５７】
携帯電話機１は誤操作ではないと判定すると、メール文書の入力編集を継続可能となる。また、携帯電話機１は誤操作であると判定すると、それまでに入力編集されたメール文書情報を入力情報２２として記憶部１２に記憶し、当該入力情報２２を所定時間にわたって保存する。そして、携帯電話機１はその所定時間以内に再度メール文書の入力編集が要求される、つまりメール作成アプリケーション・プログラムが実行されると、記憶部１２の入力情報２２をメール文章情報として表示部１４に表示して、入力編集を再開させる。よって、利用者が入力キー３１のつもりで終了キー３２を連続押下しても、メール文書情報の複製である入力情報２２が保存されるため、誤操作によるメール文書情報等を消してしまっても、メール文書情報の喪失を防止して入力編集の復帰が可能になる。
【００５８】
これに対し、携帯電話機１は利用者からの入力要求を受けずに所定時間が経過すると、記憶部１２の入力情報２２を消去して、前記待機モードＳＴ１に遷移する。よって、バックアップした入力情報２２が無作為に増大することが回避できる。
【００５９】
以上説明した携帯電話機１によれば、利用者はその記憶部１２に記憶された入力情報２２を再度利用することができるため、誤操作による入力情報の喪失を防止できる。従って、入力キー３１、終了キー３２等の小型化を維持し且つ誤キー操作による入力情報の喪失を回避することができる。また、小型化した入力キー３１に終了キー３２を隣接させることができるため、携帯電話機１の小型化に貢献することができる。
【００６０】
また、利用者の入力速度に適した誤判定情報で誤操作の発生を検出することができるため、利用者による入力速度の個人差を吸収し、誤操作による入力情報の喪失を確実に回避すると共に、正常操作と誤操作の判断精度の向上を図ることができる。
【００６１】
さらに、利用者の誤操作によって入力モードを終了させても、再度入力モードを開始することで、複製された入力情報２２を表示部１４で確認することができるため、使い勝手の向上を図ることができる。
【００６２】
なお、上述した実施形態では、入力情報２２を複製してから所定時間経過後に自動で消去する場合について説明したが、例えば、定期的に消去する、利用者に任意にタイミングで消去させるなど種々異なる実施形態とすることができる。
【００６３】
なお、上述した実施形態では、本発明の携帯端末装置を携帯電話機１に適用した場合について説明したが、本発明はこれに限定したものではなく、例えば、パーソナル・コンピュータ、ＰＤＡ（Personal Digital Assistants）、カーナビゲーション装置、電子辞書、メモリ機能付き測定器等の誤って文章などの入力データを１発で削除してしまうボタンキーを有する各種電子機器に適用することができる。
【００６４】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００６５】
【図１】本発明に係る携帯端末装置の基本構成を示す構成図である。
【図２】携帯端末装置を適用した携帯電話機の概略構成を示す構成図である。
【図３】図２の携帯電話機の操作部の一例を示す図である。
【図４】図２の携帯電話機の本発明に係る状態遷移の一例を説明するための状態遷移図である。
【図５】図２の制御部が実行する入力情報複製処理の一例を示すフローチャートである。
【図６】図２の制御部が実行する入力間隔計測処理の一例を示すフローチャートである。
【符号の説明】
【００６６】
１    携帯端末装置（携帯電話機）
１１ａ    操作間隔検出手段（制御部）
１１ｂ    誤操作判定手段（制御部）
１１ｃ    複製手段（制御部）
１１ｄ    入力間隔検出手段（制御部）
１１ｅ    表示制御手段（制御部）
１１ｆ    入力情報消去手段（制御部）
１２ａ    記憶手段（記憶部）
１２ｂ    誤操作判定情報記憶手段（記憶部）
１３    表示部
１４    表示手段（表示部）
３１    入力キー
３２    終了キー
【図１】
2009175915.tif 000003
【図２】
2009175915.tif 000004
【図３】
2009175915.tif 000005
【図４】
2009175915.tif 000006
【図５】
2009175915.tif 000007
【図６】
2009175915.tif 000008